(57)【要約】【課題】  フレキシブルプリント回路の端子を半田で接続する場合でも、半田による配線間の短絡を抑制することが可能なフレキシブルプリント回路及びそれを用いた接続構造、並びに当該接続構造を有する表示素子モジュールを提供すること。【解決手段】  フィルムＲＦ上に形成された配線パターンＷＰ１を有し、該配線パターンの端子部は配線を露出させた露出部ＥＸと絶縁材料で被覆された被覆部ＣＯとを備えたフレキシブルプリント回路において、該端子部における配線同士の間には、該露出部と該被覆部に跨る貫通孔ＨＬ１が形成されていることを特徴とする。  好ましくは、該貫通孔ＨＬ１の最小幅は０．４ｍｍ以上であることを特徴とする。【選択図】図３
2011049202.tif 000002
【特許請求の範囲】
【請求項１】
フィルム上に形成された配線パターンを有し、該配線パターンの端子部は配線を露出させた露出部と絶縁材料で被覆された被覆部とを備えたフレキシブルプリント回路において、
該端子部における配線同士の間には、該露出部と該被覆部に跨る貫通孔が形成されていることを特徴とするフレキシブルプリント回路。
【請求項２】
請求項１に記載のフレキシブルプリント回路において、該貫通孔の最小幅は０．４ｍｍ以上であることを特徴とするフレキシブルプリント回路。
【請求項３】
請求項１又は２に記載のフレキシブルプリント回路において、該露出部の配線には、配線の幅内に配置される複数の小孔が形成されていることを特徴とするフレキシブルプリント回路。
【請求項４】
請求項１乃至３のいずれかに記載のフレキシブルプリント回路を用いた接続構造において、該フレキシブルプリント回路の該端子部を他の接続端子に半田を用いて接続し、該貫通孔から、余分な半田の少なくとも一部が除去されていることを特徴とするフレキシブルプリント回路を用いた接続構造。
【請求項５】
請求項４に記載のフレキシブルプリント回路を用いた接続構造において、前記他の接続端子は、他のフレキシブルプリント回路又はプリント回路基板の端子であることを特徴とするフレキシブルプリント回路を用いた接続構造。
【請求項６】
請求項４又は５に記載のフレキシブルプリント回路を用いた接続構造を有する表示素子モジュールにおいて、表示素子が液晶表示素子又は有機エレクトロルミネッセンス表示素子であることを特徴とするフレキシブルプリント回路を用いた接続構造を有する表示素子モジュール。
【請求項７】
請求項６に記載のフレキシブルプリント回路を用いた接続構造を有する表示素子モジュールにおいて、該表示素子が液晶表示素子であり、液晶表示パネルに接続されたフレキシブルプリント回路とバックライトに接続された他のフレキシブルプリント回路との端子接続において該接続構造を用いることを特徴とするフレキシブルプリント回路を用いた接続構造を有する表示素子モジュール。
【発明の詳細な説明】
【技術分野】
【０００１】
本発明はフレキシブルプリント回路及びそれを用いた接続構造、並びに当該接続構造を有する表示素子モジュールに関し、特に、半田を用いてフレキシブルプリント回路の端子を接続する際に配線間の短絡を防止するための、フレキシブルプリント回路及びそれを用いた接続構造、並びに当該接続構造を有する表示素子モジュールに関する。
【背景技術】
【０００２】
液晶表示装置や有機エレクトロルミネッセンス表示装置においては、表示パネルに配線ケーブルを接続する際にフレキシブルプリント回路が利用されている。図１に示すように、フレキシブルプリント回路ＦＰＣは、樹脂フィルムＲＦの上に配線パターンＷＰ１が印刷され、該配線パターンは電気的に接続する端子を除いて絶縁材料（樹脂フィルムやコーティング膜）ＩＭで被覆されている。
【０００３】
フレキシブルプリント回路の端子（配線パターンＷＰ１の一部）と他の配線ＷＰ２の端子との電気的接続には、半田ＢＰが用いられる。符号ＰＣＢは配線パターンＷＰ２を保持する基板やフィルムである。特に、フレキシブルプリント回路では、半田による接続部がフレキシブルプリント回路のフィルムＲＦで被覆されているため、余った半田が横（図１の紙面に垂直な方向）に広がり、隣の配線同士を短絡するなどの問題を生じる危険性がある。
【０００４】
特許文献１では、余った半田を逃がすため、予め端子の形状にダミー端子部分を形成することが開示されている。しかしながら、表示パネルにおける配線の間隔は大変狭く、個々の配線の端子部にダミー端子を設ける十分なスペースを確保することが難しい。
【０００５】
しかも、フレキシブルプリント回路においては、図１に示すように、配線パターンＷＰ１を被覆した絶縁材料ＩＭの境界領域には、絶縁材料ＩＭによる段差部が形成されており、図２に示すように、該段差部に沿って余った半田ＢＰが広がり易い。ダミー端子部分の構成では、このような段差部に沿った半田の広がりを抑制することは困難である。符号１は、半田の広がりにより短絡した部分を示している。また、符号ＥＸは、絶縁材料が被覆されず、配線パターンが露出している部分、また、符号ＣＯは絶縁材料ＩＭで被覆されている部分を示す。
【０００６】
さらに、液晶表示装置では、液晶表示パネルに接続したフレキシブルプリント回路と、バックライトに接続したフレキシブルプリント回路とを、コネクタを介さず、フレキシブルプリント回路の端子同士と直接半田で接続することが行われている。これにより、コネクタによるスペースや厚みの増加を抑制し、液晶表示装置のコンパクト化を図ることができる。しかしながら、フレキシブルプリント回路同士を接続する場合には、より一層半田が上記段差部に沿って広がり易く、配線の短絡が発生し易くなる。
【先行技術文献】
【特許文献】
【０００７】
【特許文献１】特開平２−３０１７２５号公報
【発明の概要】
【発明が解決しようとする課題】
【０００８】
本発明の解決しようとする課題は、上述した問題を解消し、フレキシブルプリント回路の端子を半田で接続する場合でも、半田による配線間の短絡を抑制することが可能なフレキシブルプリント回路及びそれを用いた接続構造、並びに当該接続構造を有する表示素子モジュールを提供することである。
【課題を解決するための手段】
【０００９】
本発明の表示装置は、上述した課題を解決するため、以下のような特徴を有する。
【００１０】
（１）  フィルム上に形成された配線パターンを有し、該配線パターンの端子部は配線を露出させた露出部と絶縁材料で被覆された被覆部とを備えたフレキシブルプリント回路において、該端子部における配線同士の間には、該露出部と該被覆部に跨る貫通孔が形成されていることを特徴とする。
【００１１】
（２）  上記（１）に記載のフレキシブルプリント回路において、該貫通孔の最小幅は０．４ｍｍ以上であることを特徴とする。
【００１２】
（３）  上記（１）又は（２）に記載のフレキシブルプリント回路において、該露出部の配線には、配線の幅内に配置される複数の小孔が形成されていることを特徴とする。
【００１３】
（４）  上記（１）乃至（３）のいずれかに記載のフレキシブルプリント回路を用いた接続構造において、該フレキシブルプリント回路の該端子部を他の接続端子に半田を用いて接続し、該貫通孔から、余分な半田の少なくとも一部が除去されていることを特徴とする。
【００１４】
（５）  上記（４）に記載のフレキシブルプリント回路を用いた接続構造において、前記他の接続端子は、他のフレキシブルプリント回路又はプリント回路基板の端子であることを特徴とする。
【００１５】
（６）  上記（４）又は（５）に記載のフレキシブルプリント回路を用いた接続構造を有する表示素子モジュールにおいて、表示素子が液晶表示素子又は有機エレクトロルミネッセンス表示素子であることを特徴とする。
【００１６】
（７）  上記（６）に記載のフレキシブルプリント回路を用いた接続構造を有する表示素子モジュールにおいて、該表示素子が液晶表示素子であり、液晶表示パネルに接続されたフレキシブルプリント回路とバックライトに接続された他のフレキシブルプリント回路との端子接続において該接続構造を用いることを特徴とする。
【発明の効果】
【００１７】
本発明によれば、フレキシブルプリント回路の端子部における配線同士の間には、絶縁材料の被覆が露出した露出部と被覆された被覆部に跨る貫通孔が形成されているため、絶縁材料による段差部に沿って半田が広がった際にも、配線同士の短絡を防止することができる。このため、半田による配線間の短絡を抑制することが可能なフレキシブルプリント回路及びそれを用いた接続構造、並びに当該接続構造を有する表示素子モジュールを提供することができる。
【図面の簡単な説明】
【００１８】
【図１】フレキシブルプリント回路の端子部における接続状態を説明する断面図である。
【図２】従来のフレキシブルプリント回路の端子部における半田の広がりを説明する図である。
【図３】本発明のフレキシブルプリント回路における端子部の様子を説明する図である。
【図４】本発明のフレキシブルプリント回路の端子部における半田の広がりを説明する図である。
【図５】本発明のフレキシブルプリント回路における端子部の他の実施例を説明する図である。
【発明を実施するための形態】
【００１９】
本発明に係るフレキシブルプリント回路について、以下に詳細に説明する。図３は、本発明のフレキシブルプリント回路における端子部の様子を説明する図である。
【００２０】
本発明のフレキシブルプリント回路の特徴は、フィルムＲＦ上に形成された配線パターンＷＰ１を有し、該配線パターンの端子部は配線を露出させた露出部ＥＸと絶縁材料ＩＭで被覆された被覆部ＣＯとを備えたフレキシブルプリント回路において、該端子部における配線同士の間には、該露出部と該被覆部に跨る貫通孔ＨＬ１が形成されていることである。
【００２１】
貫通孔ＨＬの幅（又は長さ）は、特に限定されないが、半田が貫通孔を通じて流出可能な程度の開口が必要であり、貫通孔の最小幅を０．４ｍｍ以上とすることが好ましい。
【００２２】
図３に示すようなフレキシブルプリント回路を用いて半田接続を行うと、図４に示すように、露出部ＥＸと被覆部ＣＯとの境界に沿って、半田ＢＰが広がる。しかしながら、貫通孔ＨＬ１内に侵入した半田は、半田接続が完了した後、針状の先端を有する補助具で容易に除去できるため、半田による配線間の短絡を防止することが可能となる。
【００２３】
また、本発明のフレキシブルプリント回路に係る他の実施例として、図５に示すように、露出部ＥＸの配線ＷＰ１には、配線の幅内に配置される複数の小孔ＨＬ２を設けることができる。このような小孔により、余分な半田がフレキシブルプリント回路の外部に放出され、より一層半田による配線間の短絡を防止することが可能となる。また、これらの小孔から半田の存在が確認でき、半田が配線ＷＰ１のどの位置に存在しているのかも容易に判定することが可能となる。
【００２４】
本発明は、上述したような構成を有するフレキシブルプリント回路を用いた接続構造を含む。本発明に係る接続構造では、図３又は図５に示すようなフレキシブルプリント回路を用いて、該フレキシブルプリント回路の該端子部（ＷＰ１）を他の接続端子（例えば、図１に示すような他の配線パターンＷＰ２）に半田を用いて接続し、該貫通孔ＨＬ１から、余分な半田の少なくとも一部が除去し、配線間の半田による短絡が防止されている構造を有している。
【００２５】
本発明の接続構造に利用される他の接続端子としては、フレキシブルプリント回路の端子や、プリント回路基板の端子であってもよい。また、液晶表示パネルなどのパネルを構成する基板上に形成された配線の端子であっても良い。
【００２６】
さらに、本発明は、フレキシブルプリント回路を用いた接続構造を有する表示素子モジュールを含む。表示素子モジュールを構成する表示素子としては、液晶表示素子又は有機エレクトロルミネッセンス表示素子が利用可能である。特に、フレキシブルプリント回路を利用することが好ましい、小型化、薄型化が必要な電子機器には、本発明を好適に利用することができる。
【００２７】
そして、当該表示素子が液晶表示素子である場合には、液晶表示パネルに接続されたフレキシブルプリント回路とバックライトに接続された他のフレキシブルプリント回路との端子接続において、上述したフレキシブルプリント回路を用いた接続構造を採用することで、コンパクト化を図った液晶表示モジュールを提供することができる。
【産業上の利用可能性】
【００２８】
以上のように、本発明によれば、フレキシブルプリント回路の端子を半田で接続する場合でも、半田による配線間の短絡を抑制することが可能なフレキシブルプリント回路及びそれを用いた接続構造、並びに当該接続構造を有する表示素子モジュールを提供することが可能となる。
【符号の説明】
【００２９】
ＢＰ  半田
ＣＯ  被覆部
ＥＸ  露出部
ＦＰＣ  フレキシブルプリント回路
ＨＬ１  貫通孔
ＨＬ２  小孔
ＩＭ  絶縁材料
ＲＦ  フィルム
ＷＰ１，ＷＰ２  配線
【図１】
2011049202.tif 000003
【図２】
2011049202.tif 000004
【図３】
2011049202.tif 000005
【図４】
2011049202.tif 000006
【図５】
2011049202.tif 000007